Podtech/llm-jp-corpus-v4-ja_patent huggingface dataset:
(57)【要約】【課題】  本発明は、後輪が２軸を有するトラック／ダンプのプラスチックモデルにおいて、プラスチックモデル本来の見栄えを損なうことなく、片方の後輪が障害物を踏んだ場合でも、もう一方の後輪が浮き上がらないようにすることを目的とする。【解決手段】  支持部（３）またはサスペンション（４）、或いはこの両方に車軸（７）と平行な凹部（８）を設けるとともに、回転子（５）を該凹部へ回動可能に取り付け、回転子（５）を中心にサスペンション（４）を回動させて、後輪（１）を上下方向へ可動可能にするものである。さらには、ドライブシャフト（１０）が落下することなく、スムースに後輪（１）が上下に動くように、ゴムチューブやスプリング等のフレキシブル部材（１１）を介してドライブシャフト（１０）をドライブケース（９）に取り付けるものである。【選択図】図１
2011092666.tif 000002
【特許請求の範囲】
【請求項１】
後輪が２軸を有するトラック／ダンプのプラスチックモデルにおいて、支持部またはサスペンション、或いはこの両方に車軸と平行な凹部を設けるとともに、回転子を該凹部へ回動可能に取り付け、回転子を中心にサスペンションを回動させて、後輪を上下方向へ可動可能にしたことを特徴とするトラック／ダンプのプラスチックモデル用サスペンション。
【請求項２】
ドライブケースとドライブシャフトは、ゴムチューブやスプリング等のフレキシブル部材を介して連結し、後輪の上下動を阻害させないようにしたことを特徴とする請求項１のトラック／ダンプのプラスチックモデル用サスペンション。
【発明の詳細な説明】
【技術分野】
【０００１】  本発明は、後輪の車軸が２軸を有するトラック／ダンプのプラスチックモデルにおいて、片方の後輪が障害物を踏んだ場合でも、もう一方の後輪が宙に浮かないようにした後輪のサスペンションに関するものである。
【背景技術】
【０００２】  後輪の車軸が２軸を有するトラック／ダンプのプラスチックモデルは、多くの種類が商品化され広く市場に出回っている。また、金型技術や成型技術の発達とともにプラスチックモデルの精巧さは日々向上していることも周知のとおりである。しかしながら後輪の車軸が２軸を有するトラック／ダンプのプラスチックモデルにおいて、後輪のサスペンションが自由に動作して後輪が上下に動くものはなかった。
【発明の概要】
【発明が解決しようとする課題】
【０００３】  プラスチックモデルをディスプレィケース等に飾る際、ジオラマなどによる情景を施す場合には、地面に起伏を付けることがある。しかしながら後輪の車軸が２軸を有するトラック／ダンプの従来のプラスチックモデルでは、後輪のサスペンションが動かないため、片方の後輪が障害物を踏んだ場合には、もう一方の後輪も同じような高さで浮き上がってしまい、模型の情景を損なう問題があった。
【課題を解決するための手段】
【０００４】  本発明は、プラスチックモデル本来の見栄えを損なうことなく上記課題を安価に解消するためのものであり、支持部またはサスペンション、或いはこの両方に車軸と平行な凹部を設けるとともに、回転子を該凹部へ回動可能に取り付けて、さらにこの回転子が見えないようにサスペンションを取り付けることで、プラスチックモデル本来の見栄えを損なうことなく、回転子を中心としてサスペンションを自由に回動させて、後輪が上下に動くようにした。
また、後輪の上下の動きが損なわれないように、ゴムチューブやスプリング等のフレキシブル部材を介してドライブシャフトとドライブケースを連結するようにした。
【発明の効果】
【０００５】  サスペンションが自由に回動して後輪が上下に動くので、地面に起伏がある場合でも後輪が宙に浮くことなく地面に接地し、模型の情景が損なわれるような問題はなくなった。しかも、サスペンションを回動させるための機構が外側からは見えないため、プラスチックモデル自体の見栄えを損なうこともない。さらには、部品点数の追加が少ないため、プラスチックモデルの生産コストに与える影響も少なくて済む。
【図面の簡単な説明】
【０００６】
【図１】  後輪部分の分解図である
【図２】  トラック／ダンプのプラスチックモデルの側面図である
【図３】  図２の下面図（Ａ矢視図）である
【図４】  図３のＢ−Ｂ断面図である
【図５】  図４のＣ−Ｃ断面図である
【図６】  図３のＤ−Ｄ断面図である
【図７】  本発明による実施例であり、障害物を踏んだ場合の側面図である
【図８】  従来例であり、障害物を踏んだ場合の側面図である
【発明を実施するための形態】
【０００７】  以下、本発明の実施の形態について、図面を参照しつつ詳細に説明すれば、
図１は、本発明の実施例による後輪部分の分解図であるが、フレーム（２）には、支持部（３）が強固に固着されている。そして、支持部（３）と各サスペンション（４）には、車軸（７）と平行な凹部（８）が設けられている。
回転子（５）は、回動可能なように固定子（６）を介して支持部（３）に取り付けられ、回転子（５）にサスペンション（４）が固着される。そして、このサスペンション（４）に、後輪（１）を取り付けたドライブケース（９）を取り付けるものである。尚、他の実施例として、回転子（５）を回動可能なように固定子（６）を介してサスペンション（４）側に取り付け、回転子（５）を支持部（３）に固着してもよいし、または回転子（５）の材質をすべりのよいナイロン樹脂やポリアセタール樹脂等にし、支持部（３）とサスペンション（４）の凹部（８）に回転子（５）を少しきつ目に嵌合させて、固定子（６）を使用しないで支持部（３）とサスペンション（４）を連結してもよい。
また、ドライブシャフト（１０）が落下することなく、スムースに後輪（１）が上下に動くように、ドライブシャフト（１０）の両端には突部（１２）を設け、この突部（１２）の片側には、突部（１２）と嵌合するゴムチューブやスプリング等のフレキシブル部材（１１）を取り付け、フレキシブル部材（１１）をドライブケースの穴（１３）に差し込む。そして、ドライブシャフト（１０）の反対側の突部（１２）は、図６に示すように、フレーム（２）に取り付けられたエンジン（１４）のエンジン穴（１５）に差し込むものである。尚、図１や図６に示す実施例では、フレキシブル部材（１１）をドライブケース（９）側に差し込んでいるが、フレキシブル部材（１１）はエンジン（１４）側に差し込んでもよいし、またはドライブシャフト（１０）の両端をフレキシブル部材（１１）で連結してもよい。
【符号の説明】
【０００８】１    後輪
２    フレーム
３    支持部
４    サスペンション
５    回転子
６    固定子
７    車軸
８    凹部
９    ドライブケース
１０  ドライブシャフト
１１  フレキシブル部材
１２  突部
１３  ドライブケースの穴
１４  エンジン
１５  エンジン穴
１６  障害物
【図１】
2011092666.tif 000003
【図２】
2011092666.tif 000004
【図３】
2011092666.tif 000005
【図４】
2011092666.tif 000006
【図５】
2011092666.tif 000007
【図６】
2011092666.tif 000008
【図７】
2011092666.tif 000009
【図８】
2011092666.tif 000010
(57)【要約】【課題】対向他指を夫々突合拘束し、フリーの対向人差指同志を差違え空回しする脳活性遊びを安易に行え、失敗時失敗程度を表示し、老人グループ等で得点争いを楽しめる指回し遊具を提供する。【解決手段】対向指連繋具（１）の指冠キャップ（２）で目的外の対向指を連繋拘束し、目的対向指をカラ回しして遊ぶ、失敗接触場合、失点表示器（３）で該失点度をゲージで表示する、指毎の成功得点を高下し総合得点を競いグループで高齢者が脳活性遊びに出来る指回し遊具。【選択図】図１
2011092663.tif 000002
【特許請求の範囲】
【請求項１】
対向指頭部を夫々冠覆する指冠キャップ（２）の頂部同志を自在連繋して、対向指連繋具（１）となし、該具を適当対向指体に夫々冠覆して連繋拘束し、遊び目的の裸指体一対を差違え不接触カラ廻しして脳活性遊びをする指回し遊具。
【請求項２】
空回しの裸指同志が失敗して触れ当りした場合、此失敗度を表示する失点表示器（３）を指体に装着してなる請求項１記載の指回し遊具。
【発明の詳細な説明】
【技術分野】
【０００１】此発明は脳感性を向上させる指回し遊具に関するものである
【技術分野】
【０００２】対向４指を夫々突合はせ固定し、人差指同志を差違え空回しする遊びがあったが該時の補助具等は無かった。
【発明の開示】
【発明が解決しようとする課題】
【０００３】人差指同志を差違え不接触で空回し遊びをする際、他の対向４指頭部を夫々自在連繋して此遊びを安易にし、該遊びの難儀な中指、薬指等も容易にし、グループで競い遊べる様にし、失敗接触場合該失敗話度を表示する失点表示器（３）を該指体に装着し成功得点を争いグループで脳活性遊びをする。
【課題を解決する為の手段】
【０００４】指冠キャップ（２）頂部同志を連繋してなる対向指連繋具（１）で、遊ぶ目的外の他指頭を夫々連繋し、目的指体を差違え、不接触空回し遊びをする、失敗接触時、此失敗度を表示する失点表示器（３）を指体に装着する、失点表示器（３）は周辺に突起（４）を植設した回転リング（５）をゲージ付の指輪状体に組付けてなし、突起（４）の長、短のものを数種用意する、指回し遊び際指体が突起（４）にふれると回転リング（５）が回転し、失敗度をゲージ点で表示する、突起（４）の長、亦は短の失点表示器（３）を差替え各指でカラ回し遊びをし得点争いをする。
【発明の効果】
【０００５】他の対向指頭を拘束するから目的対向指のカラ回し遊びが老齢者でも容易で、面倒な中指、薬指等も行い易くなり難易指同志の成功度長、短指同志の組合はせ、突起（４）長、短の相違、閉眼しての遊び、失点表示器（３）表示の目盛度、得点法を多種勘考採点出来、得点を競い合い老齢者等がグループで脳活性遊び等が出来該施設等で活用出来るものである。
【実施例】
【０００６】人差指での場合、対向指連繋具（１）で他対向指頭を連繋し、人差指同志を差違へ空回しして遊ぶ、失敗接触すると突起（４）が回転リング（５）を回転させ失点表示器（３）のゲージで失点を表示する、成功場合難しい指毎に得点を替え、閉眼時は得点を加増し等、不器用な老齢者のグループ等で脳活性遊びを行う。
【図面の簡単な説明】
【０００７】
【図１】は対向指連繋具の側面図である。
【図２】は失点表示器の上面図である。
【図３】は失点表示器側面図である。
【符号の説明】
【０００８】１  対向指連繋具
２  指冠キャップ
３  失点表示器
４  突起
５  回転リング
【図１】
2011092663.tif 000003
【図２】
2011092663.tif 000004
【図３】
2011092663.tif 000005
(57)【要約】  【課題】  食べる過程において視覚的な変化を生じることによって興味をそそる菓子（主としてチョコレート）を提供する。  【解決手段】  淡色の菓子素材で基礎部分を構成し、これに文字あるいは図形の断面を持つ突起を形成する。それを濃色の菓子素材で覆い、突起の有無がわからないようにする。こうして出来た菓子の表面を囓ったりなめたりすることにより、基礎部分の突起が露出し、文字あるいは図形が現れる。【選択図】      図３
2011092021.tif 000002
【特許請求の範囲】
【請求項１】
複数の色合いを持つ菓子素材を用い、少なくとも一つの色の菓子素材で基礎部分を形成し、その基礎部分の少なくとも一部に特定図形の断面形状を持つ部分を隆起形成させ、それに隙間なく密着するように、他の色を持つ菓子素材を充填せしめ、表面上、基礎部分の特定図形の一部あるいは全体が見えないように覆ったことを特徴とする複数色構造菓子。
【発明の詳細な説明】
【技術分野】
【０００１】
本発明は、菓子の構造に関するものである。菓子の素材としては、主としてチョコレートを想定しているが、チョコレートに限定するものではない。
【背景技術】
【０００２】
従来より、チョコレートというのは、主としてその食味を楽しむものであり、それ以外の興味はあまり期待できなかった。
【先行技術文献】
【特許文献】
【０００３】
【特許文献１】特開２０００‐１７５６２５
【発明の概要】
【発明が解決しようとする課題】
【０００４】
しかしながら、チョコレートは菓子の一種であり、小児によって食されることが多いという事実がある。その観点からすると、食味のみではなく、食者を視覚的に、あるいは食べる過程の面白さで楽しませるような菓子の出現が望まれていた。本発明では、食べる途中で、菓子に文字あるいは模様が浮き出るという特徴を持たせることにより、食者に興味を持たせようとするものである。
【課題を解決するための手段】
【０００５】
本発明の菓子を実現するためには、まず、二色あるいはそれ以上の異なる色を持つ菓子素材を用意する。説明を簡略化するために、以下、二色のみを用いる場合を想定し、それに用いる二色の菓子素材の内の一つを「白色チョコレート」あるいは「淡色素材」、他方を「黒色チョコレート」あるいは「濃色素材」と称することにする。
【０００６】
まず、図１に示すように、白色チョコレートによって、基礎部分１を構成する。この基礎部分には、文字あるいは図形による突起２を持たせる。図１の例では、図形としてアルファベットの「Ａ」という文字を採用している。
【０００７】
この基礎部分に、黒色チョコレート３をかぶせる。この時、基礎部分の突起の間の凹部などに気泡が混入しないように注意して充填する必要がある。こうして黒色チョコレートで覆った様子を図２に示す。この図では、上部のみを覆ったために、上下二段に色が分かれるという外観を呈しているが、全体を覆って白色部分が見えないようにしてもかまわない。
【０００８】
こうしてできあがったチョコレートの上部を、歯で囓ったり、あるいは舌でなめたりすることにより、黒色チョコレートが削れ、下にある白色チョコレートの突起の一部が露出する。こうして、黒色の中に白色の文字が現れる。その様子を図３に示す。なお、図３では、構造をより明確にするために、部分的にカットし、断面を露出させている。
【発明の効果】
【０００９】
以上のような構造と製法により、食者は、外見上、何の変哲もないチョコレートを食べている内に表面のチョコレートが削れて次第に模様が浮き出るという過程を経験することが出来る。これは、特に小児の興味をそそるに充分な効果である。
【００１０】
以上、説明の簡略化のために、白色チョコレート（淡色素材）と黒色チョコレート（濃色素材）の例を示したが、この色が逆であっても、また、他の色のチョコレートを用いても同様の効果が得られる。また、必ずしも菓子の素材はチョコレートばかりでなくても良い。たとえば、飴、クッキー等でも同様の効果を得ることが出来る。
【００１１】
また、二色だけでなく、三色以上の色を組み合わせると、複雑ではあるが、より視覚的におもしろいものを得ることが出来る。さらには、たとえば、図形による突起２を基礎となる素材の両面に設け、両面から他の色の素材で覆うなどすれば、両面において違う図形を浮き出させることも可能である。
【図面の簡単な説明】
【００１２】
【図１】白色チョコレートで作られた基礎部分を示す斜視図。
【図２】白色チョコレートの基礎部分に黒色チョコレートをかぶせた様子を示す斜視図。
【図３】黒色チョコレートの表面が削れ、内部の文字図形が現れた様子を示す斜視図（部分カット図）。
【図４】図形として動物の図形を採用し、取っ手をとりつけて舐めやすくした実施例を示す斜視図。
【図５】白色チョコレートの基礎部分に空気抜きのための通気孔を設けた実施例を示す斜視図。
【図６】通気孔を設けた基礎部分に黒色チョコレートを充填した様子を示す断面図。
【発明を実施するための形態】
【００１３】
本発明の効果は、主として小児がその菓子の表面を舐めることによって得られるため、図１、図２に示した形状のままでは食しにくく、その効果が得にくい。また、製造上、いくらかの問題点もある。
【実施例】
【００１４】
これまでの説明では、突起は文字の形としたが、これは特に文字にこだわる必要はなく、たとえば、動物やアニメのキャラクター等、自由に選ぶことが出来る。図４は、基礎部分に黒色チョコレートを、上にかぶせる素材として白色チョコレートを用い、図形として動物（パンダ）の模様を採用した実施例である。無論この図は、表面をなめるなり削るなりして、絵が浮き出た状態を示すものであり、最初の段階でこのパンダの絵が見えるものではない。
【００１５】
なお、本発明による菓子は、構造が簡単なので特に問題なく製造できるが、白色チョコレートの基礎部分に黒色チョコレートをかぶせるという工程において、気泡が混入する可能性がある。しかしながら、図５に示すように、あらかじめ基礎部分の凹部にいくつかの通気孔４を設けることにより、この問題を簡単に解決することができる。図６は、そうして通気孔を設けて構成した場合の菓子の断面図である。この図では、通気孔４は黒色チョコレートで充填されている。
【符号の説明】
【００１６】
１、淡色素材で出来た基礎部分
２、基礎部分に設けられた突起
３、濃色素材
４、通気孔
【図１】
2011092021.tif 000003
【図２】
2011092021.tif 000004
【図３】
2011092021.tif 000005
【図４】
2011092021.tif 000006
【図５】
2011092021.tif 000007
【図６】
2011092021.tif 000008
(57)【要約】【課題】ザルとボウルを向き合わせた時、それぞれの鍔と把手の部分は滑り易く、上下左右に振るとザルとボウルがずれて、洗い終えた食材等がこぼれ落ちたり、ザルとボウルを落としたりした。また、同じ形状の把手のザルとボウルを重ねて使用する時、水などで張り付いてすぐに切り離せず、厄介な点である。  本発明は、以上の問題点を解決するためのザルとボウルの水切り具を提供する。【解決手段】ボウルの把手を除く部分の鍔部の外周に上方へ突き出した帯状の突出部を２カ所、周設する。ザルとボウルを対向して重合し、それぞれの把手を一緒に両手で掴み、上下左右に振動させると内部の食材等の水切りができる。また、ザルの把手は凸状にし、ボウルの把手は凹状にし、それぞれの鍔部の外周に２カ所、対向配置し水平に突設する。それぞれの把手の先端は、互い違いに露出した状態となるので、ザルとボウルが水などで張り付いた時は容易に切り離す事ができる。【選択図】  図１
2011092364.tif 000002
【特許請求の範囲】
【請求項１】
ザルとボウルを組み合わせて使うザルとボウルの水切り具であって、扁平状からなるザルとボウルの把手をそれぞれ凹凸の形状にし、それぞれの鍔部の外周に対向配置し、水平にそれぞれ突設し、ボウルの把手を除く部分の鍔部の外周に上方へ突き出した突出部を周設した事を特徴とするザルとボウルの水切り具。
【発明の詳細な説明】
【技術分野】
【０００１】
本発明は、ザルの内部に洗い終えた食材等を入れてボウルと向き合わせて使用する水切り具に関するものである 。
【背景技術】
【０００２】
従来、ザルとボウルは把手が片手のものや、両手で掴むものがあり、食材等の洗浄ができたが、内部に洗い終えた食材等を入れザルとボウルを向き合わせ重ね、把手を持ち、上下左右に振ると水切りができた。
また、ザルとボウルがひとつになった物がある。（特許文献１参照）。
【先行技術文献】
【特許文献】
【０００３】
【特許文献１】特開  ２００８―２５３７０３号公報
【発明の概要】
【発明が解決しようとする課題】
【０００４】
ザルとボウルを向き合わせた時、それぞれの鍔の部分と把手部分は滑り易く、上下左右に振るとザルとボウルがずれて、折角、洗い終えた食材等がこぼれ落ちたり、ザルとボウルを落としたりした。さらに、それぞれの把手が片手のもので水切りをする時、食材等が大きく、重いものは手の負担が大きく、不安定で疲れる。
また、同じ形状の把手のザルとボウルを重ねて使用する時、水などで張り付いてすぐに切り離せず、厄介な点である。
本発明は、以上の問題点を解決するためになされたものである。
【課題を解決するための手段】
【０００５】
本発明は、ザルの開口端の外側に突き出した鍔部を水平に周設する。ザルの把手を凸状にし、ザルの鍔部の外周に２カ所、対向配置し水平に突設する。ボウルの開口端の外側に突き出した鍔部を水平に周設する。ボウルの鍔部の外周の大きさは、ザルの鍔部の外周より少し、大きくする。ボウルの把手の中央部に凹状の切り欠き部を設ける。ボウルの把手をボウルの鍔部の外周に２カ所、対向配置し水平に突設する。ボウルの把手を除く部分の鍔部の外周に上方へ突き出した帯状の突出部を２カ所、周設する。
以上の構成よりなるザルとボウルの水切り具。
【発明の効果】
【０００６】
本発明のザルとボウルの水切り具は、ボウルの鍔部の外周に突出部を設けて、この突出部と洗い終えた食材等を入れたザルの鍔部の外縁に合わせて、上方から向き合わせにしたボウルを被せる効果によりザルとボウルがずれる事がなく、重合された把手を両手で掴み上下左右に振動させても、食材等がこぼれ落ちずに水ハネも抑えられる。
さらに、ザルの把手を凸状にし、ボウルの把手の中央部に凹状の切り欠き部を設けた事で、ザルとボウルが水などで張り付いた時、容易に切り離す事ができる。
【図面の簡単な説明】
【０００７】
【図１】本発明の実施状態を示す斜視図である。
【図２】本発明のボウルのＡ―Ａ断面図である。
【図３】本発明のボウルの斜視図である。
【図４】本発明のザルのＢ―Ｂ断面図である。
【図５】本発明のザルの斜視図である。
【図６】本発明の使用状態を示す斜視図である。
【図７】本発明のザルとボウルを重合した把手部分の実施状態を示す斜視図である。
【図８】本発明のザルとボウルを重合した把手部分の使用状態を示す斜視図である。
【図９】本発明の実施方法を示す斜視図である。
【図１０】本発明のザルとボウルを重合した斜視図である。
【発明を実施するための形態】
【０００８】
以下、本発明の実施の形態を説明する。
（イ）半球体の容器のザル（２）の開口端の外側に突き出した鍔部（７）を水平に周設する。
（ロ）扁平状からなるザル把手（４）を鍔部（７）の外周に２カ所、対向配置し水平に突設する。
（ハ）ザル把手（４）の形状を凸状にし、凸部（９）とする。
（ニ）半球体の容器のボウル（１）の開口端の外側に突き出した鍔部（６）を水平に周設する。
（ホ）ボウル（１）の鍔部（６）の外周の大きさは、ザル（２）の鍔部（７）の外周より少し、大きくする。
（ヘ）扁平状からなるボウル把手（３）を鍔部（６）の外周に２カ所、対向配置し水平に突設する。
（ト）ボウル把手（３）の先端、中央を凹状にし、切り欠き部（８）とする。
（チ）ザル（２）とボウル（１）を対向し、ザル把手（４）の凸部（９）とボウル把手（３）の切り欠き部（８）が重合された中央を把持部（１０）とする。
（リ）ボウル把手（３）を除く部分の鍔部（６）の外周に上方へ突き出した帯状の突出部（５）を２カ所、対向配置し周設する。
【０００９】
本発明を使用するときは、洗い終えた食材等を入れたザル（２）の鍔部（７）の外縁に合わせて、上方から向かい合わせにしたボウル（１）を被せると鍔部（７）と鍔部（６）が重合され、ザル（２）とボウル（１）が球体状の容器となる。ザル把手（４）とボウル把手（３）の中央部分、すなわち把持部（１０）を両手で掴み、上下左右に振動させると内部の食材等の水切りができる。
また、重合されたザル把手（４）とボウル把手（３）の先端は、互い違いに露出した状態となるので、ザル（２）とボウル（１）が水などで張り付いた時、容易に切り離す事ができる。
前記のような構造にする事により、このザルとボウルの水切り具は、大小様々な大きさが製作可能で使い分けが出来、洗い終えた食材等の種類、大きさ、重さを限定せずに、容易に水切りが出来る。
【符号の説明】
【００１０】
１    ボウル
２    ザル
３    ボウル把手
４    ザル把手
５    突出部
６    鍔部（ボウル）
７    鍔部（ザル）
８    切り欠き部（ボウル）
９    凸部（ザル）
１０    把持部
【図１】
2011092364.tif 000003
【図２】
2011092364.tif 000004
【図３】
2011092364.tif 000005
【図４】
2011092364.tif 000006
【図５】
2011092364.tif 000007
【図６】
2011092364.tif 000008
【図７】
2011092364.tif 000009
【図８】
2011092364.tif 000010
【図９】
2011092364.tif 000011
【図１０】
2011092364.tif 000012
(57)【要約】      （修正有）【課題】ランドタイプの半導体部品をプリント基板へ実装する場合、半田ペースト溶融時の自重による沈みにより、半田ペーストを押しつぶしてしまわないようなスタンドオフの形状とか、隣接する接続端子のショートや半田ペーストの飛散が起こらないような構造体を提供する。【解決手段】ランドタイプの半導体部品をプリント基板実装する場合に、半田ペースト溶融時に半導体の自重による沈みが発生し、溶融した半田ペーストを押しつぶしてしまい、隣接する接続端子２のショートや半田ペーストの飛散が起きないように、接続端子２のある底面に接続端子を囲むような凸形状のスタンドオフ７を備える。【選択図】図１
2011216507.tif 000002
【特許請求の範囲】
【請求項１】
ランドタイプの半導体部品をプリント基板実装する場合に、半田ペースト溶融時に半導体の自重による沈みが発生し、溶融した半田ペーストを押しつぶしてしまい、隣接する接続端子のショートや半田ペーストの飛散が起きないように、接続端子のある底面に接続端子を囲むような凸形状のスタンドオフを備えることを特徴とする半導体パッケージ。
【発明の詳細な説明】
【技術分野】
【０００１】
本発明は、実装品質を向上させる半導体パッケージに関するものである。
【背景技術】
【０００２】
半導体パッケージの中で、ランド端子を持つ形状のものは、実装面積、放熱効率、高速伝送において、従来の半導体パッケージ形状（ＳＯＰやＱＦＰ）より優れてり、半導体製造メーカでの採用が拡大してきている。
【０００３】
図３は従来構造の半導体パッケージ例の外観図であり、１は樹脂モールド、２は接続端子を示す。この従来構造では、接続端子のある底面は平らである。図４（ａ）（ｂ）は従来構造の半導体パッケージ（図３の部品）をプリント基板に実装する例の側面図であり、１〜２は、図１と同様である。また、３は半田ペースト、４はプリント基板、５は隣接端子間のショート箇所、６は半田ペーストの飛散を示す。図４（ａ）のように、ランドタイプ（ＬＧＡ、ＱＦＮ）などの従来構造の半導体をプリント基板へ実装する場合、プリント基板側に半田ペーストを印刷し、その上に半導体部品を載せた状態にて、リフロー装置を使用して半田ペーストを溶融させ、半導体の端子とプリント基板の端子を接続する。図４（ｂ）のように、半田ペースト溶融時には自重による沈みが発生し、溶融した半田ペーストを押しつぶしてしまい、隣接する接続端子のショートや半田ペーストの飛散が起きてしまうという問題点がある。これら問題点は、半田ペーストの供給量や実装を行う際のリフロー温度などで調整しているが、使用する実装装置の違いやプリント基板の大きさ、厚さ、また半導体部品の重さの違いなどにより、均一的な対応が難しい。
【先行技術文献】
【特許文献】
【０００４】
【特許文献１】特願２００１−１９４１２３
【発明の概要】
【発明が解決しようとする課題】
【０００５】
解決しようとする問題点は、ランドタイプの半導体部品をプリント基板へ実装する場合、半田ペースト溶融時の自重による沈みにより、半田ペーストを押しつぶしてしまい、隣接する接続端子のショートや半田ペーストの飛散が起きてしまう点である。しかし、先行技術にある、自重による沈みを抑えるスタンドオフを使用した場合でも、半田ペーストの押しつぶしは軽減出来るものの、隣接接続端子のショートや半田ペーストの飛散が起こりうる。
【課題を解決するための手段】
【０００６】
本発明は、実装時の自重により、半田ペーストを押しつぶしてしまわないようなスタンドオフの形状を、隣接する接続端子のショートや半田ペーストの飛散が起こらないように端子を取り囲むような形状とすることを最も主要な特徴とする。
【発明の効果】
【０００７】
本発明の半導体パッケージは、端子を取り囲むようなスタンドオフとすることにより、半田ペーストの溶融時の自重による押しつぶしが起きた場合でも、隣接する接続端子間にあるスタンドオフにて溶融した半田ペーストをブロックし、隣接する接続端子のショートや半田ペーストの飛散をなくすことが出来るという利点がある。
【図面の簡単な説明】
【０００８】
【図１】本発明の半導体例の概略図。（実施例）
【図２】本発明の半導体をプリント基板に実装する例の概略図。
【図３】従来構造の半導体例の概略図。
【図４】従来構造の半導体をプリント基板に実装する例の概略図。
【発明を実施するための形態】
【０００９】
半導体部品をプリント基板実装する場合に問題となる、隣接接続端子間のショートや半田ペーストの飛散を無くすという目的を、半導体部品の形状にて実現した。
【００１０】
図１は、本発明の１実施例であって、１〜２は、図３と同様である。また、７は接続端子を囲うような構造のスタンドオフを示す。本発明の構造では、接続端子のある底面は接続端子を囲むような凸形状のスタンドオフを備える。図２（ａ）（ｂ）は、本発明の１実施例をプリント基板に実装する例の側面図であって、１〜２は、図１と同様である。また、３〜４は、図４（ａ）（ｂ）と同様であり、７は、図１と同様である。
【００１１】
スタンドオフ７は隣接接続端子の間に位置しており、図２（ａ）（ｂ）の実装例のように、プリント基板に実装する際、半田ペースト溶融時に自重による沈み込み量を制限し、かつ溶融した半田ペーストによる隣接接続端子のショート、半田ペーストの飛散を防ぐことが出来る。
【００１２】
本発明の実施例としては、ランドタイプの半導体パッケージの中で、ＱＦＮタイプについて説明しているが、ＬＧＡやＤＦＮといった同様の構造をもつランドタイプ半導体全てにおいて、実施することが可能である。
【符号の説明】
【００１３】
１    樹脂モールド
２    接続端子
３    半田ペースト
４    プリント基板
５    隣接端子間のショート箇所
６    半田ペーストの飛散
７    スタンドオフ
【図１】
2011216507.tif 000003
【図２】
2011216507.tif 000004
【図３】
2011216507.tif 000005
【図４】
2011216507.tif 000006
(57)【要約】【課題】従来の窓に設置する太陽電池は、視界が悪く、また、変換効率が低いという問題があった。【解決手段】準透明、斜角からの日光に対して優れた変換効率の特長を持つ色素増感太陽電池を、２重ガラスの内部に２重に設置することにより、外部視界を確保でき、かつ変換効率の高い窓一体型太陽電池とすることができる。【選択図】図１
2011216834.tif 000002
【特許請求の範囲】
【請求項１】
２重窓の各ガラス内側に色素増感太陽電池（以下、ＤＳＳＣと称する。）を取付けた、２重ガラス窓一体型タンデムＤＳＳＣ
【請求項２】
変換効率を高めるためＤＳＳＣは２重とする。
【請求項３】
窓への施工容易性の観点から、ＤＳＳＣは軽量であるプラスチック基板とする。
【請求項４】
室内の居住性を高めるため、ＤＳＳＣは、カラフル、あるいは絵画風デザイン処理したものも用意する。
【請求項５】
ＤＳＳＣの耐久性を増加させるため、２重ガラス窓の各内側にＤＳＳＣを設置する。
【発明の詳細な説明】
【技術分野】
【０００１】本発明は、建築用２重ガラス窓とＤＳＳＣの一体化に関する。
【背景技術】
【０００２】現在の太陽電池モジュール（以下、ＰＶパネルと称する。）は変換効率、及びＰＶパネル固定工法上の点から、建物屋上に設置することが多い。最近は、薄型ＰＶパネルの開発により外壁に設置されることも可能になってきた。また、開口部への利用案として複層ガラス一体型太陽電池も提案された（例えば、特許文献１、特許文献２参照）。
【特許文献】
【０００３】
【特許文献１】特許公開平１０−２９９３５３
【０００４】
【特許文献２】実開昭６１−１７７４６４号
【発明の概要】
【発明が解決しようとする課題】
【０００５】  しかしながら、前記の複層ガラス一体型太陽電池では、斜角からの入射日光に対しての変換効率が低く、また窓としての外部の視界確保が困難といった問題がある。
本発明は、この問題に対し、準透明で、斜角からの日光においても高い変換効率を示す色素増感太陽電池を採用することにより解決する。
【課題を解決するための手段】
【０００６】  本発明は、準透明で、斜角からの光に対して変換効率の優れたＤＳＳＣを２重窓ガラスの各内側に設置し、２重（タンデム型）ＤＳＳＣとしたもの。【０００７】２重窓へ設置するＤＳＳＣは、軽量であるプラスチック基板とし、施工上の容易性を確保する。【０００８】２重窓へ設置するＤＳＳＣは、カラフル、あるいは絵画風デザイン処理したものも用意し、室内の居住性を高める。【０００９】２重ガラス窓の内側にＤＳＳＣを設置することにより、ＤＳＳＣの耐久性を増加させる。
【発明の効果】
【００１０】  準透明なＰＶパネルであるＤＳＳＣを採用することにより窓からの視界を確保できる。
また、不透明からくる心理的なストレスも少ない。【００１１】  ＤＳＳＣの採用により窓における斜角からの日光による変換効率が優れる。また、散乱光に対しても発電効率が優れる。【００１２】  準透明なＰＶの採用により、外部直射日光の他、室内散乱光、及び人工照明光をＰＶ両側からの採光による発電が可能になり変換効率の向上を図ることができる。【００１３】  ２重窓ガラスの双方にＰＶを設置するタンデム型とすることにより、変換効率の向上を図ることができる。【００１４】  プラスチック基板を用いた軽量のＰＶパネルとすることにより、窓設置の施工性を容易にできる。【００１５】  準透明のＰＶパネルを採用することにより、採光の一方、遮光も可能。【００１６】  ＤＳＳＣの持つカラフルである特長を活かし、窓をステンドグラスのように多様にデザインでき、居住性を高める。
【発明を実施するための形態】
【００１７】  以下、本発明の形態について説明する。
本発明は、２枚のガラス板からなる２重窓ガラスの各内面にＰＶパネルを設置した２重窓一体型タンデムＰＶパネルであり、ＰＶパネルとして準透明、軽量、斜角日光からの変換効率に優れたＤＳＳＣを採用することにより、従来構造のＰＶパネルの問題点を改善すると共に、ＰＶパネルの耐久性を増加させるために、２重窓内部にＰＶパネルを設置、及びＰＶパネルの発電量を更に増大するため、ＰＶパネルを２枚の構造にしたものである。
【実施例】
【００１８】  本発明の実施例を図面に示す。
【図面の簡単な説明】
【００１９】
【図１】本発明の実施形態を示す２重窓一体型タンデム太陽電池の断面図
【符号の説明】
【００２０】１  窓枠
２  窓ガラス
３  太陽電池パネル
【図１】
2011216834.tif 000003
(57)【要約】      （修正有）【課題】究極のエコ発電である太陽光発電は天候に大きく左右されるため、発電量が極めて不安定である。天候に左右されず、２４時間発電出来る照明光発電装置を提供する。【解決手段】光を当てると発電をする光電池１に、発光灯２による照明光を当てて発電を行い、発電された電力で発光灯の電力を賄うだけでなく、発電した電力を外部にも供給する照明光発電装置。【選択図】図１
2011216835.tif 000002
【特許請求の範囲】
【請求項１】
光を当てると発電をする光電池（１）に、発光灯（２）による照明光を当てて発電を行なう、照明光発電装置。
【発明の詳細な説明】
【技術分野】本発明は、光を当てると発電をする光電池（一般的には太陽光を利用して発電するので、太陽光パネル又はソーラーパネルとも言われてる）を発光灯による照明光を当てて発電を行なう、照明光発電装置に関するものである。
【背景技術】従来光電池は、太陽光を利用して発電を行っている。
【発明が解決しようとする課題】
これは、次のような欠点があった。
太陽光が降り注いでいる日中にしか発電出来ない。したがい発電時間が短かく発電量も少ない。
又天候の悪い日は、日中でも発電出来ない為、電気の供給が極めて不安定である。
そこで、これらの欠点をなくす為に天候に関係なく、２４時間いつでも安定して、電気を供給する事が出来る発電装置の開発が課題となる。
本発明は、これらの課題を解決する為に、なされたものである。
【課題を解決する為の手段】
光を当てると発電をする光電池に、発光灯による照明光を当てて発電を行ない、発電された電気で発電の為の発光灯の電気を賄い、尚且つ発電機として、発電した電気を外部へ供給するものである。
これを図１により説明すると
発電ボックス（９）の中に、両面発光の発光灯（２）を、両面から挟むようにして光電池（１）を差し込み、これを復数組収納する。
それぞれの光電池（１）とバッテリー（３）を、光電池からの送電ケーブル（６）で接続する。
インバーター（４）と発光灯への送電ケーブル（７）の間にスイッチ（５）を設け、発光灯への送電ケーブル（７）を、それぞれの発光灯（２）に接続する。
本発明は、以上の構成よりなる照明光発電装置である。
【発明の効課】
１、天候に左右される事なく２４時間常に安定した発電量が得られる。
２、発電装置の代金以外に、発電の為の費用が、かからない。
３、ＣＯ２を排出しない。
４、騒音が出ない。
５、移動が容易で、屋外、屋内いずれの場合も、小さなスペースでよい
【発明を実施する為の最良の形態】
本発明の基本構成を具体的に説明する
本発明は、従来太陽光を利用して発電を行なっている光電池（１）（ソーラーパネル）を、照明灯（２）の照明光を利用して発電を行なうものである。
これが実現出来るようになったのは、極めて消費電力の少ないＬＥＤや、有機ＥＬなどの発光体が実用化されたからである。
つまり、同じ表面積の、発電を行なう光電池（１）と、照明光を発する発光灯（２）とでは、発光灯（２）の消費電力よりも、光電池（１）の発電電力の方が大きい。
本発明は、この電力差を利用した発電装置（発電機）である。
2011216835.tif 000003
となる。
光電池（１）
光を電気エネルギーに変換するつまり光を当てると発電をするパネルタイプとフィルムタイプがあり、一般的には太陽光を利用して発電を行なっているので太陽光パネル又は、ソーラーパネルとも言われている。
フィルムタイプは、極めて薄く柔軟性があるので曲面などにも利用出来る。
本発明の図１、図２は、パネルタイプを想定した図面である。
発光灯（２）
照明光を発する発光体の一般名で、白熱灯、蛍光灯、ＬＥＤ、有機ＥＬなどがある。
本発明の図１、図２は、消費電力の少ないＬＥＤや有機ＥＬのパネルタイプを想定した図面である。
有機ＥＬについては、フィルムタイプもある。
バッテリー（３）
光電池（１）によって発電された電気を蓄電するものである。
インバーター（４）
光電池（１）によって発電される直流電流を、交流電流に変換するものである。
スイッチ（５）
発電装置を稼動させるもので、スイッチを入れることで発光灯（２）が点灯し、発電が行なわれる。
本発明の図１、図２は、光電池（１）も、発光灯（２）も、パネルタイプを想定した図面であるが、フィルムタイプを利用する事も可能であり、その場合は、発電ボックス（９）を、よりコンパクトに出来る。
本発明品を使用するときは、
スイッチ（５）を入れるだけでよい。
スイッチ（５）を入れることで、バッテリー（３）に蓄電されている電源で発光灯（２）が点灯し、その照明光で光電池（１）が発電を行ない、バッテリー（３）へ蓄電をする。
発電を停止する場合は、スイッチ（５）を切るだけである。
以上が本発明の実施要領の説明である
【図面の簡単な説明】
【図１】本発明の照明光発電装置に一部断面図を施した、全体図である
【図２】本発明の照明光発電装置の配線図である。
【符号の説明】１、  光電池（パネルタイプ）
２、  発光灯（パネルタイプ）
３、  バッテリー
４、  インバーター
５、  スイッチ
６、  光電池からの送電ケーブル
７、  発光灯への送電ケーブル
８、  発電された電気の供給ケーブル
９、  発電ボックス
１０、キャスター
【図１】
2011216835.tif 000004
【図２】
2011216835.tif 000005
(57)【要約】      （修正有）【課題】計８種の書面作成に際し、同被災現場他を調査した者（以降はＸと称す）は有資格者で、その結果を（水害調査結果報告書）原本等へ手書きで更にＸの住所・氏名他を記入、捺印等を行なった上提出する事となっている。Ｘは内容が誤計算にならない結果を発信させる立場にあり、調査した前記調書資料を、出願人独自のパソコン化した用紙へ入力・プリントアウトをすれば、今後、誤計算トラブルの発生件数は明らかに極小化するものと確信する。【解決手段】出願人のパソコン・ソフト化された８種の書面は誤計算のない安全で記憶量の多大化が予測される。前記「調査した者による提出関連用紙」は水害立会調査書（損害率算出根拠用紙）等を”調査した者”がその調査結果を用紙１枚（損保発行の原本）にまとめ住所・氏名・捺印等々を行う。（原本提出主義）として表紙に該当する用紙は、損害調査依頼保険会社へ提出する事は不可となっている。【選択図】なし【特許請求の範囲】
【請求項１】
特許を請求する発明を１つずつ記載する。符号▲１▼  （水害立会調査［報告書］等用）  その調査した者の該当物件毎・総ての内臓ソフトに基き、その該当する用紙‥（水害立会調査［報告書］等用）用紙  １種  前記出願人作成によるパソコンソフト［エクセル他］内臓済による、入力から（事故受付用紙他）プリントアウト（水害立会調査［報告書］用紙他等）まで
【請求項２】
特許を請求する発明を１つずつ記載する。符号▲２▼  損害割合の算出方法  Ｂ（木造建物）  その調査した者の該当物件毎・総ての内臓ソフトに基き、その該当する用紙‥損害割合の算出方法  Ｂ（木造建物）用紙  １種  前記出願人作成によるパソコンソフト［エクセル他］内臓済による、入力から（事故受付用紙他）プリントアウト（損害率算出根拠用紙他等）まで
【請求項３】
特許を請求する発明を１つずつ記載する。符号▲３▼  建物・造作・仕様内容並びに時価額・新価金額・損害額内訳  その調査した者の該当物件毎・総ての内臓ソフトに基き、その該当する用紙‥建物・造作・仕様内容並びに時価額・新価金額・損害額内訳他用紙  １種  前記出願人作成によるパソコンソフト［エクセル他］内臓済による、入力から（事故受付用紙他）プリントアウト（損害率算出根拠用紙他等）まで
【請求項４】
特許を請求する発明を１つずつ記載する。符号▲４▼  損害割合の算出方法  Ｃ（家財）他  その調査した者の該当物件毎・総ての内臓ソフトに基き、その該当する用紙‥損害割合の算出方法  Ｃ（家財）他用紙  １種  前記出願人作成によるパソコンソフト［エクセル他］内臓済による、入力から（事故受付用紙他）プリントアウト（損害率算出根拠用紙他等）まで
【請求項５】
特許を請求する発明を１つずつ記載する。符号▲５▼  家財類・簡易評価資料  （家財）２２０ｍ２以下  その調査した者の該当物件毎・総ての内臓ソフトに基き、その該当する用紙‥家財類・簡易評価資料（家財）２２０ｍ２以下他用紙  １種  前記出願人作成によるパソコンソフト［エクセル他］内臓済による、入力から（事故受付用紙他）プリントアウト（損害率算出根拠用紙他等）まで
【請求項６】
特許を請求する発明を１つずつ記載する。符号▲６▼  家財類・簡易評価資料  （家財）１２１ｍ２以下  その調査した者の該当物件毎・総ての内臓ソフトに基き、その該当する用紙‥損害割合の算出方法  Ｃ（家財）他用紙  １種  前記出願人作成によるパソコンソフト［エクセル他］内臓済による、入力から（事故受付用紙他）プリントアウト（損害率算出根拠用紙他等）まで
【請求項７】
特許を請求する発明を１つずつ記載する。符号▲７▼  家財類・簡易評価資料  （家財）５３ｍ２以下  その調査した者の該当物件毎・総ての内臓ソフトに基き、その該当する用紙‥家財類・簡易評価資料  （家財）５３ｍ２以下他用紙  １種  前記出願人作成によるパソコンソフト［エクセル他］内臓済による、入力から（事故受付用紙他）プリントアウト（損害率算出根拠用紙他等）まで
【請求項８】
特許を請求する発明を１つずつ記載する。符号▲８▼  家財類保険価額簡易評価資料（単身者）１６ｍ２以下  その調査した者の該当物件毎・総ての内臓ソフトに基き、その該当する用紙‥家財類保険価額簡易評価資料（単身者）１６ｍ２以下  他用紙  １種  前記出願人作成によるパソコンソフト［エクセル他］内臓済による、入力から（事故受付用紙他）プリントアウト（損害率算出根拠用紙他等）まで
【発明の詳細な説明】
【技術分野】
【０００１】前記出願人作成によるパソコンソフト（マイクロソフト製エクセル他）による発生件数の管理・同被災現場他を”調査した者”が関与した≪事故受付ＮＯ番号・符号等を記して管理、但し個人情報管理を徹底するには≪ファイルメーカー管理ソフトを運用し≫ある一定の収容入力件数を記憶させ、危険の分散を図るのがベスト
【背景技術】
【０００２】上記で得られた調査結果内容は、入力ミスはあっても誤計算がない。（前記出願人作成によるパソコン内ソフトへ演算式他を入力済）
【発明が解決しようとする課題】
【０００３】多大で大量な案件管理が出来る≪個人情報等はファイルメーカー管理を行なう≫その調査をおこなう基本数値が一定になるため、全体的に健全な結果数が求めやすい。
【課題を解決するための手段】
【０００４】ＣＤ／ＤＶＤ・等の管理方法の手段（年度・月・地域名・○○水害）として、その事故地域毎名前を記して（ファイルメーカー管理）とする。
【発明の効果】
【０００５】ディスク（前記出願人作成によるパソコン内臓ソフト）により全事故案件管理・広範囲が行いえるが、個人情報については、逆発想で千件毎に地域名と・事故受けＮＯをして、厳重にファイルメーカー管理で分類し保存が望まれる。≪危険の分散≫「添付資料の説明」
【０００６】前記出願人作成による個人保存と作成調書用（事故受・報告書・計算書他等）ソフトとして一部使用利用済‥パソコンソフト入力・（エクセル他）試算・演算・内臓済符号  ▲１▼  （水害立会調査［報告書］等用）    プリントアウト用紙‥‥上記・報告書                              上記１種類符号  ▲２▼  損害割合の算出方法Ｂ（木造建物）    プリントアウト用紙‥‥‥木造Ｂ建物用損害割合の算出方法          上記１種類符号  ▲３▼建物・造作・仕様内容並びに時価額・新価金額・損害額内訳    プリントアウト用紙‥‥建物時価額・新価金額・損害額内訳等        上記１種類符号  ▲４▼損害割合の算出方法Ｃ（家財）    プリントアウト用紙‥‥上記家財Ｃ・損害割合の算出方法書          上記１種類符号  ▲５▼家財類・簡易評価資料（家財）２２０ｍ２以下    プリントアウト用紙‥‥上記・家財類・簡易評価資料２２０ｍ２以下  上記１種類符号  ▲６▼家財類・簡易評価資料（家財）１２１ｍ２以下    プリントアウト用紙‥‥上記・家財類・簡易評価資料１２１ｍ２以下  上記１種類符号  ▲７▼家財類・簡易評価資料（家財）５３ｍ２以下    プリントアウト用紙‥‥上記・家財類・簡易評価資料５３ｍ２以下    上記１種類符号  ▲８▼家財類保険価額簡易評価資料（単身者）１６ｍ２以下    プリントアウト用紙‥‥上記・家財類保険価額簡易評価資料          上記１種類
(57)【要約】      （修正有）【課題】地震保険損害調査書作成に際し、誤計算トラブルの発生件数と多大化する案件管理を極小化する。【解決手段】地震保険損害調査書他によるプリントアウト用紙は，誤計算防止のため調査案件管理をパソコンによるソフト管理化とし、その現場調査を行なった者が、パソコン内ソフトの指示に従い入力し、その結果損害率他が算出又はプリントアウトされる。既存の地震保険損害調査書他については、同被災現場他を調査した者がその結果を、報告書等の所定の記入欄へ手書きし、調査した者の住所・氏名・捺印等を行なった上提出する。【選択図】なし【特許請求の範囲】
【請求項１】
特許を請求する発明を１つずつ記載する。符号▲１▼  木造（在来軸組工法等用）  その調査した者の該当物件毎・総ての内臓ソフトに基き、その該当する用紙‥地震保険損害調査用紙（報告書）建築構造・工法用別用紙  １種  前記出願人作成によるパソコンソフト［エクセル他］内臓済による、入力から（事故受付用紙他）プリントアウト（損害率算出根拠用紙他等）まで
【請求項２】
特許を請求する発明を１つずつ記載する。符号▲２▼  木造（枠組壁工法用）  その調査した者の該当物件毎・総ての内臓ソフトに基き、その該当する用紙‥地震保険損害調査用紙（報告書）建築構造・工法用別用紙  １種  前記出願人作成によるパソコンソフト［エクセル他］内臓済による、入力から（事故受付用紙他）プリントアウト（損害率算出根拠用紙他等）まで
【請求項３】
特許を請求する発明を１つずつ記載する。符号▲３▼  （鉄骨造建物用）  その調査した者の該当物件毎・総ての内臓ソフトに基き、その該当する用紙‥地震保険損害調査用紙（報告書）建築構造・工法用別用紙  １種  前記出願人作成によるパソコンソフト［エクセル他］内臓済による、入力から（事故受付用紙他）プリントアウト（損害率算出根拠用紙他等）まで
【請求項４】
特許を請求する発明を１つずつ記載する。符号▲４▼  （鉄筋コンクリートラーメン構造用）  その調査した者の該当物件毎・総ての内臓ソフトに基き、その該当する用紙‥地震保険損害調査用紙（報告書）建築構造・工法用別用紙  １種  前記出願人作成によるパソコンソフト［エクセル他］内臓済による、入力から（事故受付用紙他）プリントアウト（損害率算出根拠用紙他等）まで
【請求項５】
特許を請求する発明を１つずつ記載する。符号▲５▼  （鉄筋コンクリート壁式構造用）  その調査した者の該当物件毎・総ての内臓ソフトに基き、その該当する用紙‥地震保険損害調査用紙（報告書）建築構造・工法用別用紙  １種  前記出願人作成によるパソコンソフト［エクセル他］内臓済による、入力から（事故受付用紙他）プリントアウト（損害率算出根拠用紙他等）まで
【請求項６】
特許を請求する発明を１つずつ記載する。符号▲６▼  （鉄筋コンクリート壁式プレキャスト構造用）  その調査した者の該当物件毎・総ての内臓ソフトに基き、その該当する用紙‥地震保険損害調査用紙（報告書）建築構造・工法用別用紙  １種  前記出願人作成によるパソコンソフト［エクセル他］内臓済による、入力から（事故受付用紙他）プリントアウト（損害率算出根拠用紙他等）まで
【請求項７】
特許を請求する発明を１つずつ記載する。符号▲７▼  （鉄筋コンクリート中高層壁式ラーメン構造用）  その調査した者の該当物件毎・総ての内臓ソフトに基き、その該当する用紙‥地震保険損害調査用紙（報告書）建築構造・工法用別用紙  １種  前記出願人作成によるパソコンソフト［エクセル他］内臓済による、入力から（事故受付用紙他）プリントアウト（損害率算出根拠用紙他等）まで
【請求項８】
特許を請求する発明を１つずつ記載する。符号▲８▼  生活用動産損害認定基準表（一般用）賃貸専用  その調査した者の該当物件毎・総ての内臓ソフト（前記出願人作成による）に基き、（事故受付用紙他）から用紙プリントアウト（損害率算出根拠用紙）まで  その該当する用紙‥地震保険損害調査用紙（報告書）生活用動産  １種
【請求項９】
特許を請求する発明を１つずつ記載する。符号▲９▼  生活用動産損害認定基準表（単身者用）賃貸専用  その調査した者の該当物件毎・総ての内臓ソフト（前記出願人作成による）に基き、（事故受付用紙他）から用紙プリントアウト（損害率算出根拠用紙）まで  その該当する用紙‥地震保険損害調査用紙（報告書）生活用動産  １種上記符号▲１▼〜▲７▼へは前記符号▲８▼・▲９▼とは異なり、生活用動産損害認定基準表（一般用）持家専用‥として入力済
【発明の詳細な説明】
【技術分野】
【０００１】前記出願人作成によるパソコンソフト（マイクロソフト製エクセル他）による発生件数の管理・同被災現場他を”調査した者”が関与した（事故受け付けＮＯ番号・符号等を記して管理）但し個人情報管理を徹底するには≪ファイルメーカー管理ソフトを運用し≫ある一定の収容入力件数を記憶させ、危険の分散を図る。
【背景技術】
【０００２】上記で得られた調査結果内容は、入力ミスはあっても誤計算がない。（前記出願人作成によるパソコン内ソフトへ演算式他を入力済）
【発明が解決しようとする課題】
【０００３】多大で大量な案件管理が出来る≪個人情報等はファイルメーカー管理を行なう≫その調査をおこなう基本数値が一定になるため、全体的に健全な結果数が求めやすい。社会性としては被災した契約者への情報開示が行ないやすい。
【課題を解決するための手段】
【０００４】ＣＤ／ＤＶＤ・等の管理方法の手段（地域名・○○沖地震）として、その事故地域毎（ファイルメーカー管理）とする。
【発明の効果】
【０００５】ディスク（前記出願人作成によるパソコン内臓ソフト）により全事故案件管理・広範囲が行いえるが、個人情報については、逆発想で千件毎に地域名と・事故受けＮＯをして、厳重にファイルメーカー管理で分類し保存が望まれる。≪危険の分散≫「添付資料の説明」
【０００６】前記出願人作成による地震保険損害調査書［報告書］等の・用紙は［報告書］他（エクセル他）内臓済・が表紙として総ての目的事故調査物件へ用紙添付済作成調書用（前記報告書・損害率計算書他等）パソコンソフトとして一部使用利用済‥下記プリントアウト用紙‥‥木造建物下記２種類符号  ▲１▼  木造（在来軸組工法等用）プリントアウト用紙符号  ▲２▼  木造（枠組壁工法用）プリントアウト用紙符号  ▲３▼  （鉄骨造建物用）左記１種類下記プリントアウト用紙‥‥鉄筋コンクリート造下記４種類符号  ▲４▼  （鉄筋コンクリートラーメン構造用）符号  ▲５▼  （鉄筋コンクリート壁式構造用）符号  ▲６▼  （鉄筋コンクリート壁式プレキャスト構造用）符号  ▲７▼  （鉄筋コンクリート中高層壁式ラーメン構造用）上記符号▲１▼〜▲７▼へは生活用動産損害認定基準表（一般用▲８▼）持家用（単身者用▲９▼）持家用（単身者用▲９▼）持家用としてソフト内臓済符号  ▲８▼  生活用動産損害認定基準表（一般用）左記１種類（賃貸専用）符号  ▲９▼  生活用動産損害認定基準表（単身者用）左記１種類（賃貸専用）